(57)【要約】【課題】発光素子の個数を削減し、また、筐体の回動動作を発光素子との関連において有効利用することができる携帯端末装置を提供する。【解決手段】操作部４を有する第１筐体６とこの操作部４を覆うように重ね合わせ可能に連結される第２筐体１０を備える携帯端末装置２であって、第１筐体６と第２筐体１０が開いた状態のときに操作部４を照射する発光部３０を第２筐体１０に備えるようにした。【効果】操作部の各キーを照射するために必要な発光素子の個数を削減することができると共に、回動動作を発光素子との関連において有効利用することができる。【選択図】      図１
2005051400.tif 000002
【特許請求の範囲】
【請求項１】
操作部を有する第１筐体とこの操作部を覆うように重ね合わせ可能に連結される第２筐体を備える携帯端末装置であって、
前記第１筐体と前記第２筐体が開いた状態のときに前記操作部を照射する発光部を第２筐体に備えることを特徴とする携帯端末装置。
【請求項２】
前記第１筐体の一方の端部に形成される第１筐体側連結部と、この第１筐体側連結部に対応して前記第２筐体の一方の端部に形成される第２筐体側連結部がヒンジ構造を構成して回動自在に連結されるようにした請求項１に記載の携帯端末装置。
【請求項３】
前記発光部は、発光素子と透光性を有する拡散板を備えて、
前記拡散板が、前記第２筐体側連結部に形成される窓部に取付けられると共に、
前記発光素子が、前記第１筐体側連結部及び第２筐体側連結部の内部を通って前記第１筐体内の回路基板と前記第２筐体内の回路基板の間を回路接続するフレキシブルプリント配線板上であって当該フレキシブル配線板を組み込んだ際に前記拡散板と対向する位置に固定されるようにした請求項２に記載の携帯端末装置。
【請求項４】
前記フレキシブルプリント配線板が、前記第１筐体側連結部及び前記第２筐体側連結部の内部で螺旋状に巻かれて、
前記第１筐体と前記第２筐体の回動動作のときに、前記フレキシブルプリントの螺旋状に巻いた部分の曲率の変化により生じる前記発光素子の円周方向の移動量を制限する仕切り板を前記拡散板に形成するようにした請求項３に記載の携帯端末装置。
【請求項５】
前記仕切り板の内側に反射層を形成した請求項４に記載の携帯端末装置。
【請求項６】
前記第２筐体の前記操作部が配置される面と垂直方向の軸線上に設けられた連結軸により、前記第１筐体と第２筐体の互いの端部が回動自在に連結されるようにした請求項１に記載の携帯端末装置。
【請求項７】
前記発光部が、前記第１筐体と前記第２筐体が閉じた状態のときには着信を点灯又は点滅により報知するようにした請求項１ないし請求項６のいずれかに記載の携帯端末装置。
【発明の詳細な説明】
【０００１】
【発明の属する技術分野】
本発明は、折り畳み型携帯電話機のように連結された２つ以上の筐体を有する携帯端末装置であって、操作部を照射する発光部を有することにより暗い場所等においても操作することができる携帯端末装置に関するものである。
【０００２】
【従来の技術】
従来の携帯端末装置には、暗い場所等でも操作することができるように、操作部の各キーに透光性を有する部材を用いると共に、その筐体内部の回路基板上であって操作部の各キーに対応する位置ごとに、ＬＥＤ（発光ダイオード）等の発光素子を配置することにより、各キーをその背後から照射するようにしているものがあった。また、通信の着信があったことを報知するための着信ランプ等にも発光素子が用いられていた。
【０００３】
一方、図示しないが、２つの筐体がヒンジ構造により回動自在に連結される携帯端末装置であって、情報や画像を表示するために備えられたＬＣＤ（液晶ディスプレイ）等のメイン表示部とは別に、サブ表示部をヒンジ構造の内部に設けることにより、２つの筐体を開いたり閉じたりする回動動作に応じてサブ表示部の表示方向が異なるようにして、表示機能を充実させたものがあった（例えば、特許文献１参照）。
【０００４】
【特許文献１】
特開２００１−３０８９９２号公報
【０００５】
【発明が解決しようとする課題】
しかしながら、従来の携帯端末装置は、操作部の各キーごとに回路基板上に発光素子を配置し、また、着信ランプ等にも発光素子を用いているために、発光素子の個数が多くなってしまい、製造費の低減を妨げているという問題があった。
【０００６】
また、前記特許文献１のように、２つの筐体の回動動作を表示機能の充実のために利用したものはあったが、回動動作を発光素子との関連において有効利用したものはなかった。
【０００７】
そこで本発明は、上記問題点に鑑みて、発光素子の個数を削減し、また、筐体の回動動作を発光素子との関連において有効利用することができる携帯端末装置を提供することを課題とするものである。
【０００８】
【課題を解決するための手段】
上記課題を解決するために本発明は、
操作部を有する第１筐体とこの操作部を覆うように重ね合わせ可能に連結される第２筐体を備える携帯端末装置であって、
前記第１筐体と前記第２筐体が開いた状態のときに前記操作部を照射する発光部を第２筐体に備えることを特徴とするものである。
【０００９】
また、本発明による携帯端末装置は、前記第１筐体の一方の端部に形成される第１筐体側連結部と、この第１筐体側連結部に対応して前記第２筐体の一方の端部に形成される第２筐体側連結部がヒンジ構造を構成して回動自在に連結されるようにすることができる。
【００１０】
また、本発明による携帯端末装置は、
前記発光部は、発光素子と透光性を有する拡散板を備えて、
前記拡散板が、前記第２筐体側連結部に形成される窓部に取付けられると共に、
前記発光素子が、前記第１筐体側連結部及び第２筐体側連結部の内部を通って前記第１筐体内の回路基板と前記第２筐体内の回路基板の間を回路接続するフレキシブルプリント配線板上であって当該フレキシブル配線板を組み込んだ際に前記拡散板と対向する位置に固定されるようにすることができる。
【００１１】
また、本発明による携帯端末装置は、
前記フレキシブルプリント配線板が、前記第１筐体側連結部及び前記第２筐体側連結部の内部で螺旋状に巻かれて、
前記第１筐体と前記第２筐体の回動動作のときに、前記フレキシブルプリントの螺旋状に巻いた部分の曲率の変化により生じる前記発光素子の円周方向の移動量を制限する仕切り板を前記拡散板に形成するようにすることができる。
【００１２】
また、本発明による携帯端末装置は、前記仕切り板の内側に反射層を形成するようにすることができる。
【００１３】
また、本発明による携帯端末装置は、前記第２筐体の前記操作部が配置される面と垂直方向の軸線上に設けられた連結軸により、前記第１筐体と第２筐体の互いの端部が回動自在に連結されるようにすることができる。
【００１４】
また、本発明による携帯端末装置は、前記発光部が、前記第１筐体と前記第２筐体が閉じた状態のときには着信を点灯又は点滅により報知するようにすることができる。
【００１５】
【発明の実施の形態】
以下、本発明に係る携帯端末装置の実施の形態について、図面に基づいて具体的に説明する。
【００１６】
図１ないし図８は、本発明の第１の実施の形態に係る折り畳み型携帯電話機２（携帯端末装置に相当）について説明するために参照する図である。図１に示すように、折り畳み型携帯電話機２は、操作部４を有する第１筐体６と表示部８を有する第２筐体１０を備えている。
【００１７】
そして、第１筐体６における長さ方向の一方の端部１２、及びこれに対応する第２筐体１０における長さ方向の一方の端部１４のそれぞれには、互いに連結してヒンジ構造を構成することにより回動自在となるように、第１筐体側連結部１６及び第２筐体側連結部１８が形成されている。
【００１８】
すなわち、第１筐体側連結部１６は、３つの凸形状部２０，２２，２４が所定の間隔で離れて形成されており、第２筐体側連結部１８には、第１筐体側連結部１６の凸形状部２０と凸形状部２２の間に嵌まり込む突出部２６と、凸形状部２２と凸形状部２４の間に嵌まり込む突出部２８が形成されている。
【００１９】
そして、第１筐体側連結部１６と第２筐体側連結部１８は、凸形状部２０と突出部２６、及び凸形状部２４と突出部２８が、互いに回動することができるように回動軸線上でピン結合されている。第１筐体側連結部１６の凸形状部２２と第２筐体側連結部１８の突出部２６，２８は、ピン結合はされずに、第１筐体６及び第２筐体１０のそれぞれの内部の空間が回動軸線の方向に連通するようになっている（図４参照）。
【００２０】
折り畳み型携帯電話機２は、図１中に示されているように、操作部４を利用することができる開状態（開いた状態）から、図２に示すように、第２筐体１０を回動して第１筐体６の操作部４を覆うように重ね合わせた閉状態（閉じた状態又は重ねた状態）にすることができる。
【００２１】
図１に示すように、第２筐体側連結部１８の突出部２６には、第１筐体６と第２筐体１０を開状態にしたときに、第１筐体６の操作部４の方向に照射する発光部３０が設けられている。発光部３０は、後述する制御部４２に制御されるようになっており、第１筐体６と第２筐体１０を閉状態から開状態にした際の一定時間、及び操作部４の各キーが操作されている間、操作部４を照射するようになっている。
【００２２】
また、第２筐体１０を第１筐体６に対して回動させることにより閉状態にすると、発光部３０の照射方向も同時に回動するので、図２に示すように、閉状態でも外部からこの発光部３０を確認することができるようになっている。第１筐体６と第２筐体１０が閉状態になっているときに通信の着信があった場合には、発光部３０は、制御部４２からの制御命令に基づいて点灯又は点滅の動作を行ない、着信を報知する着信ランプとして機能するようになっている。
【００２３】
図３は、この折り畳み型携帯電話機２の回路構成を示すブロック図である。折り畳み型携帯電話機２は、既に説明した操作部４及び表示部８の他に、無線部３２、記憶部３４、スピーカー３６、マイクロホン３８、発光部３０及び検出部４０を備えており、これらは制御部４２の制御下で動作するようになっている。ここで、操作部４、表示部８、無線部３２、記憶部３４、スピーカー３６及びマイクロホン３８については、従来の一般的な携帯電話機と同様に動作するものであるため、その説明は省略する。
【００２４】
検出部４０は、図１及び図２において図示されていないが、第１筐体６と第２筐体１０が開状態であるのか又は閉状態であるのかを検出するようになっている。このような検出部４０としては、例えば、第１筐体６と第２筐体１０の互いに対応する位置に導通接点を設けて電気的導通により検出するようにしてもよいし、機械的スイッチを設けるようにしてもよい。
【００２５】
検出部４０が折り畳み型携帯電話機２の閉状態から開状態になったことを検出した場合には、制御部４２はその旨の信号を受信して、発光部３０を一定時間発光させるようになっており、検出部４０が閉状態であることを検出している間に通信の着信があった場合には、制御部４２は発光部３０を点滅させるようになっている。また、開状態において操作部４による何等かの操作が行なわれ始めた場合にも発光部３０を発光させるようになっている。
【００２６】
図４に示すように、発光部３０は、ＬＥＤ等の発光素子４４と透光性を有する拡散板４６を備えていて、発光素子４４は、第１筐体６内の回路基板４８と第２筐体１０内の回路基板５０の間を回路接続するフレキシブルプリント配線板５２上に固着されている。また、拡散板４６は、第２筐体側連結部１８の突出部２６の表面上に露出するように形成されて、内部の空間に通じる窓部５４を塞ぐように取付けられている。
【００２７】
フレキシブルプリント配線板５２は、図５に示すように、展開したときの外形が略Ｓ字型に形成されていて、略Ｓ字型に沿った長さ方向における両端部には、それぞれコネクタ５６が固着されている。また、発光素子４４は、フレキシブルプリント配線板５２におけるコネクタ５６が固着されている面とは反対側の面における所定の位置に固着されている。
【００２８】
このフレキシブルプリント配線板５２は略Ｓ字型に形成されているため、図６に示すように、発光素子４４が外側に向くように撓ませて螺旋状に巻くことができるようになっている。このため、図４に示すように、互いに連通する第１筐体側連結部１６の凸形状部２２の内部及び第２筐体側連結部１８の突出部２６の内部に通すことができるようになっている。
【００２９】
また、発光素子４４のフレキシブルプリント配線板５２における固着位置と、拡散板４６を取付けるために第２筐体側連結部１８の突出部２６に形成される窓部５４の位置とは、互いに対応するようになっていて、開状態において発光素子４４からの光が拡散板４６を透過して第１筐体６の操作部４を照射するような位置関係になっている。
【００３０】
フレキシブルプリント配線板５２は、図４中に示すように、第１筐体６と第２筐体１０が開状態になっている場合には、ほぼ１回転だけ巻かれている状態であるが、図７に示すように、第１筐体６と第２筐体１０を閉状態にした場合には、ほぼ１回転半巻かれた状態になる。そのため、第１筐体６と第２筐体１０を開いた状態と閉じた状態では、フレキシブルプリント配線板５２の螺旋状に巻かれている部分の曲率半径が若干変化するため、発光素子４４はその円周方向に若干移動する。
【００３１】
なお、図５中のフレキシブルプリント配線板５２上におけるコネクタ５６から発光素子４４までの距離Ａと、図７中に示す距離Ｂは、ほぼ同じ長さである。第１筐体６と第２筐体１０を、図４に示すような開いた状態から、図７に示すような閉じた状態にすると、発光素子４４は回路基板５０側のコネクタ５６にフレキシブルプリント配線板５２を介して引っ張られるため、発光素子４４は拡散板４６との相対的な位置関係についてみると、フレキシブルプリント配線板５２の長さ方向に回路基板５０側に近付くように移動することになる。
【００３２】
発光素子４４がフレキシブルプリント配線板５２の螺旋状に巻かれている部分において円周方向に移動してしまうことにより、拡散板４６に対応する位置から外れることがないようにするため、図８に示すように、拡散板４６には、発光素子４４の円周方向の移動量を制限する一対の互いに円周方向で向き合う仕切り板５８，６０が、一体的に形成されている。
【００３３】
また、発光素子４４から放射される光が、第２筐体側連結部１８の内部に漏れて放射されないようにすると共に、第２筐体側連結部１８の外部に放射される光に拡散作用を生じさせるために、拡散板４６には、仕切り板５８，６０と直角の方向に一対の互いに対向する遮光板６２，６４が、一体的に形成されると共に、仕切り板５８と仕切り板６０の互いに対向するそれぞれの内側面６６，６８、及び遮光板６２と遮光板６４の互いに対向するそれぞれの内側面７０，７２には、金属蒸着法等により反射層が形成されるようになっている。
【００３４】
このような折り畳み型携帯電話機２によれば、操作部４の各キーを個別に照射するのではなく、全体的に照射するようになっているので、操作部４の各キーを照射するために必要な発光素子の個数を削減することができる。
【００３５】
また、第１筐体６と第２筐体１０の回動動作により、開状態にした場合には発光部３０を操作部４に対する照明装置として機能させ、閉状態にした場合には着信ランプとして機能させるようにして、発光部３０に複数の機能を発揮させるようにしたので、回動動作を発光部３０（発光素子４４）との関連において有効利用することができる。
【００３６】
次に、図９及び図１０に基づいて、本発明の第２の実施の形態に係るターン型携帯電話機８０（携帯端末装置に相当）について説明する。この図に示すターン型携帯電話機８０は、前記第１の実施の形態に係る折り畳み型携帯電話機２と同様の部分には同じ符号を付して説明し、同様の構成や動作についての重複する説明は省略するものとする。
【００３７】
図９に示すように、このターン型携帯電話機８０は、操作部４を備える第１筐体６と表示部８を備える第２筐体１０の互いの端部が、第１筐体６における操作部４の配置されている面に垂直な連結軸８２の回りに互いに回動可能に連結されるようになっている。
【００３８】
すなわちこのターン型携帯電話機８０は、図９も示すような開状態から連結軸８２の回りに第２筐体１０を第１筐体６に対して１８０°回動させることにより、図１０に示すような閉状態にすることができ、また、このような閉状態でも表示部８が外側に向いたままにしておくことができる。
【００３９】
したがって、ユーザーは第１筐体６と第２筐体１０をわざわざ開かずに閉状態にしたままでも、表示部８に表示される画面を常に見ることができるようになっている。
【００４０】
このターン型携帯電話機８０は、発光部３０の拡散板４６が、第２筐体１０における連結軸８２側の端面８４に設けられるようになっている。また、図示しないが、発光部３０の発光素子４４は、第１の実施の形態とは異なり、第２筐体１０の内部で固定されるようになっている。
【００４１】
このようなターン型携帯電話機８０は、第１の実施の形態に係る折り畳み型携帯電話機２と同様に、図９中に示すように、開状態にした場合には発光部３０に操作部４を照射させるようにすることができる。また、図１０に示すように、閉状態にした場合には発光部３０を着信ランプとして機能させることができる。
【００４２】
したがって、このようなターン型携帯電話機８０によれば、第１の実施の形態に係る折り畳み型携帯電話機２と同様に、操作部４の各キーを個別に照射するのではなく、全体的に照射するようになっているので、操作部４の各キーを照射するために必要な発光素子の個数を削減することができる。
【００４３】
また、第１筐体６と第２筐体１０の回動動作により、開状態にした場合には発光部３０を操作部４の照明として機能させ、閉状態にした場合には着信ランプとして機能させるようにして、発光部３０に複数の機能を発揮させるようにしたので、回動動作を発光部３０（発光素子４４）との関連において有効利用することができる。
【００４４】
なお、前記第１及び第２の実施の形態においては、本発明を折り畳み型携帯電話機２及びターン型携帯電話機８０に適用した場合について説明したが、２つの筐体を備えて少なくとも一方の筐体に操作部が配置されるようになっている他の携帯電話機、或いはＰＤＡ（Ｐｅｒｓｏｎａｌ  Ｄｉｇｉｔａｌ  Ａｓｓｉｓｔａｎｔ）のような他の携帯端末装置にも、同様の技術的思想に基づいて本発明を適用することができることはいうまでもない。
【００４５】
また、携帯端末装置に本発明を適用することにより、操作部の各キーごとに基板上に配置されていた発光素子の個数を削減することができるようになるが、発光素子の個数を削減せずに本発明を適用すれば、従来の携帯端末装置と比較して暗い場所等における操作性を著しく向上させることができるようになる。
【００４６】
【発明の効果】
以上説明したように、本発明の携帯端末装置によれば、操作部の各キーを個別に照射するのではなく、全体的に照射するようになっているので、操作部の各キーを照射するために必要な発光素子の個数を削減することができる。
【００４７】
また、連結された２つの筐体を回動させることにより、開状態にした場合には発光部を操作部の照明として機能させ、閉状態にした場合には着信ランプとして機能させるようにして、発光部に複数の機能を発揮させるようにしたので、回動動作を発光素子との関連において有効利用することができる。
【図面の簡単な説明】
【図１】本発明の第１の実施の形態に係る折り畳み型携帯電話機２の開状態を示す斜視図である。
【図２】図１に示す折り畳み型携帯電話機２の閉状態を示す、異なる方向の斜視図である。
【図３】本発明の第１の実施の形態に係る折り畳み型携帯電話機２の回路構成を示すブロック図である。
【図４】図１に示す折り畳み型携帯電話機２のＡ−Ａ矢視の拡大断面図である。
【図５】図４に示すフレキシブルプリント配線板５２を展開したときの斜視図である。
【図６】図５に示すフレキシブルプリント配線板５２を螺旋状に巻いたときの斜視図である。
【図７】図２に示す折り畳み型携帯電話機２のＢ−Ｂ矢視の拡大断面図である。
【図８】図４に示す拡散板４６の拡大斜視図である。
【図９】本発明の第２の実施の形態に係るターン型携帯電話機８０の開状態を示す斜視図である。
【図１０】図９に示すターン型携帯電話機８０の閉状態を示す、異なる方向の斜視図である。
【符号の説明】
２  折り畳み型携帯電話機
４  操作部
６  第１筐体
８  表示部
１０  第２筐体
１２，１４  端部
１６  第１筐体側連結部
１８  第２筐体側連結部
２０，２２，２４  凸形状部
２６，２８  突出部
３０  発光部
３２  無線部
３４  記憶部
３６  スピーカー
３８  マイクロホン
４０  検出部
４２  制御部
４４  発光素子
４６  拡散板
４８，５０  回路基板
５２  フレキシブルプリント配線板
５４  窓部
５６  コネクタ
５８，６０  仕切り板
６２，６４  遮光板
６６，６８，７０，７２  内側面
８０  ターン型携帯電話機
８２  連結軸
８４  端面
【図１】
2005051400.tif 000003
【図２】
2005051400.tif 000004
【図３】
2005051400.tif 000005
【図４】
2005051400.tif 000006
【図５】
2005051400.tif 000007
【図６】
2005051400.tif 000008
【図７】
2005051400.tif 000009
【図８】
2005051400.tif 000010
【図９】
2005051400.tif 000011
【図１０】
2005051400.tif 000012